(57)【要約】【課題】前後方向の寸法が小さくメンテナンス性のよい空調装置を実現し得るドレン水処理装置を提供すること。【解決手段】ドレン水処理装置Ｂは、竪枠体３０の上部に回動自在に横設された上ロール３６と、竪枠体３０の下部に回動自在に横設された下ロール３８と、上ロール３６と下ロール３８に無端状に巻きかけられるとともに空調装置の凝縮器１４の通風方向（矢印Ｆ方向）下流側に配置される保水ベルト４２と、下ロール３８を槽内水浸位置に収容するドレン水受槽４４とを具備している。また、空調装置の本体ケーシング内に係脱自在に係止される係止部３１が竪枠体３０に設けられている。【選択図】図１
2007333242.tif 000002
【特許請求の範囲】
【請求項１】
竪枠体の上部に回動自在に横設された上ロールと、竪枠体の下部に回動自在に横設された下ロールと、上ロールと下ロールに無端状に巻きかけられるとともに空調装置の凝縮器の通風方向下流側に配置される保水ベルトと、下ロールを槽内水浸位置に収容するドレン水受槽とを具備してなるドレン水処理装置。
【請求項２】
空調装置の本体ケーシング内に設けた支持部に係脱自在に係止される係止部が竪枠体に突設されている請求項１に記載のドレン水処理装置。
【発明の詳細な説明】
【技術分野】
【０００１】
本発明は、冷媒回路の構成部品を一体に備える一体型空調装置に用いられるドレン水処理装置に関するものである。
【背景技術】
【０００２】
上記した一体型の空調装置としては、本体ケーシングにおける前部通風路内の蒸発器で生じたドレン水を後部通風路内に流入させたのち、後部通風路内の凝縮器に送風する軸流ファンとドレン水飛散手段とによりドレン水を凝縮器に飛ばして蒸散させるようにしたものが知られている。かかる空調装置は、窓に取り付けられるウィンドクーラや室内に置かれるスポットクーラとして利用されており、例えば下記の特許文献１に記載されている。
【０００３】
【特許文献１】特開２００２−１８１３４６号公報
【発明の開示】
【発明が解決しようとする課題】
【０００４】
ところで、上記した特許文献１記載の空調装置は、蒸発器、蒸発器送風用ファン、仕切壁、スリンガリング付き凝縮器送風用ファン、および凝縮器が前後方向に連設されているので、前後方向の寸法が大きくならざるを得ない。また、スリンガリングおよび凝縮器送風用ファンの作用により凝縮器の表面にドレン水を均等に飛ばすためには、スリンガリング付き凝縮器送風用ファンと凝縮器との間に適当な空間が必要であり、これも前後方向の寸法をいっそう大きくしている。加えて、冷媒管と放熱フィンが入り組んで複雑な構造となっている凝縮器にドレン水がかけられるため、通過する空気中の塵やドレン水中の夾雑物が凝縮器の表面に堆積して熱交換効率を低下させることがある。その場合でも、複雑構造の凝縮器を清掃したり堆積物を除去することは面倒でありメンテナンス性の点で劣っていた。
【０００５】
本発明は、上記した従来の問題点に鑑みてなされたものであって、前後方向の寸法が小さくメンテナンス性のよい空調装置を実現し得るドレン水処理装置の提供を目的とする。
【課題を解決するための手段】
【０００６】
上記目的を達成するために、本発明に係るドレン水処理装置は、竪枠体の上部に回動自在に横設された上ロールと、竪枠体の下部に回動自在に横設された下ロールと、上ロールと下ロールに無端状に巻きかけられるとともに空調装置の凝縮器の通風方向下流側に配置される保水ベルトと、下ロールを槽内水浸位置に収容するドレン水受槽とを具備する構成にしてある。
【０００７】
また、前記構成において、空調装置の本体ケーシング内に設けた支持部に係脱自在に係止される係止部が竪枠体に突設されているものである。
【発明の効果】
【０００８】
本発明に係るドレン水処理装置は、上下に配置された上ロールと下ロールの間を周回する保水ベルトに凝縮器からの通風を当ててドレン水を蒸散させる竪型構成であることから、前後方向寸法が小さいものである。また、周回する保水ベルトに同伴して空調装置のドレン水を凝縮器下流側の通風路に供給するので、ドレン水処理装置と凝縮器との間に従来技術のようなドレン飛散用の空間を確保する必要がなくドレン水処理装置を凝縮器に隣接して配備することができる。これらにより、ドレン水処理装置およびその設置スペースに関する前後方向寸法を小さくでき、小型の空調装置を実現することができる。一方で、空調装置の凝縮器は濡れていないので空気中の塵は凝縮器を通過して保水ベルトで捕捉され、ドレン水中の夾雑物も凝縮器でなく保水ベルトで捕捉される。これらにより、凝縮器の熱交換効率低下を抑制して凝縮器の清掃作業頻度を少なくすることができてメンテナンス性が向上する。
【０００９】
また、空調装置の本体ケーシング内に係脱自在に係止される係止部が竪枠体に設けられている場合は、空調装置の運転継続により空気中の塵やドレン水中の夾雑物が保水ベルトに堆積して保水ベルトの通気能力が低下したときに、竪枠体の係止部を空調装置から取り外すことができる。そして、取り外したドレン水処理装置の保水ベルトの掃除や交換を行って通気能力を復活させたのちに、空調装置を運転することができる。
【発明を実施するための最良の形態】
【００１０】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係るドレン水処理装置の一部断面を含む左側面図、図２は前記ドレン水処理装置を示す一部断面を含む正面図である。
各図において、この実施形態に係るドレン水処理装置Ｂは、左右に離間して立設された縦向き一対の竪枠体３０，３０を備えている。これらの竪枠体３０，３０は上下２本のシャフト３２，３２を介して連結固定されている。竪枠体３０，３０の上端部近傍には、例えばポリアミド製の上ロール３６が横設され回動自在に架け渡されている。竪枠体３０，３０の下端部近傍には、例えばポリアミド製の下ロール３８が横設され回動自在に架け渡されている。そして、上ロール３６と下ロール３８との間に無端状の保水ベルト４２が巻きかけられている。この保水ベルト４２はドレン水Ｄを吸収したまま走行可能な例えばポリエステル製の不織布などで構成され、空調装置の凝縮器１４の通風方向（矢印Ｆ方向）下流側の隣接位置に配置される。前記の下ロール３８は上面開口を有するドレン水受槽４４の内部に収容されており、少なくともロール下端位置がドレン水受槽４４内のドレン水Ｄに浸る位置（水浸位置）に配置されている。ドレン水受槽４４には一端開口部がドレンパン１１の底部に連結された連通管４５の他端開口部が投入されており、空調装置Ａ（図６参照）の蒸発器１０から滴下したドレン水Ｄをドレンパン１１および連通管４５を経てドレン水受槽４４に収容するようになっている。そして、上ロール３６の軸先端４３は、一方の竪枠体３０上部に装着されたブッシュ３３に回動自在に枢支されている。上ロール３６の他端は、他方の竪枠体３０上部に固設されたモータ３４の駆動軸３５に連結されている。下ロール３８は円筒状に形成されており、竪枠体３０，３０の下部に架け渡されたロールシャフト３７に両側のベアリング３９，３９を介して回動自在に枢支されている。
【００１１】
上ロール３６の外周面には、ロール軸心方向に適宜離間した３つの位置に周溝４１，４１，４１が全周にわたって形成されている。下ロール３８の外周面にも、前記上ロール３６の周溝４１，４１，４１と対向する下方位置に、同様の周溝４１，４１，４１が全周にわたって形成されている。これら上下対向して対をなす周溝４１，４１には、例えばウレタンゴム製のゴムリング４０がそれぞれ巻きかけられている。中央のゴムリング４０は上ロール３６と下ロール３８に直に巻きかけられており、左右両側のゴムリング４０，４０は保水ベルト４２の上から上ロール３６と下ロール３８に巻きかけられている。これらのゴムリング４０，４０，４０は、モータ３４から上ロール３６に与えられた回転駆動力を保水ベルト４２および下ロール３８に伝達する役割を果たしている。但し、ゴムリング４０，４０，４０の巻きかけ態様は上例に限定されることなく自由である。また、上ロール３６，下ロール３８，ゴムリング４０，および保水ベルト４２を構成する素材も上例に限るものでない。そして、一対の竪枠体３０，３０の上下中央部分には、それぞれ前方に突設され更に左内向きまたは右内向きに屈曲した係止部３１，３１が設けられている。
【００１２】
図３は図２に示したドレン水処理装置Ｂの係止部３１，３１が係止される空調装置Ａの本体ケーシング２内の仕切壁３の背面を示している。図４は図２に示したドレン水処理装置Ｂの係止部３１，３１が図３に示した仕切壁３の支持部６２と係合している状態を平面視で示したものである。図５は図４で示したドレン水処理装置Ｂの係止部３１，３１と仕切壁３の支持部６２との係合状態を側面から示したものである。前記の仕切壁３には、係止部３１，３１を係脱自在に係止する支持部６２が設けられている。この支持部６２は、仕切壁３の背面にボルトなどで固定された左右１対のガイドプレート６０，６０を備えている。各ガイドプレート６０と仕切壁３の間には、スペーサ６７の介在により、係止部３１の厚さよりも広い隙間６６が形成されている。ガイドプレート６０，６０の下方には、１対の受部材６１，６１が仕切壁３の背面に固設されている。これらの受部材６１，６１は前記の隙間６６，６６に装着されたドレン水処理装置Ｂの係止部３１，３１を載置・支持する。ガイドプレート６０，６０の上面には、把手６５付きの押え板６３が載置されるようになっている。押え板６３は、ガイドプレート６０，６０の上面に形成された雌ネジ穴（図示省略）に螺着されるボルト６４，６４で着脱自在に固定される。
【００１３】
ドレン水処理装置Ｂが配備される空調装置Ａは、図６に示すように、圧縮機、凝縮器１４、冷媒絞り部、蒸発器１０、およびアキュムレータを当該順で冷媒配管を介して環状に接続してなる冷媒回路が、本体ケーシング２内に配備された一体型の空気調和装置である。本体ケーシング２の内部は、前後略中央部分で仕切壁３により前部通風路４と後部通風路５とに区画されている。本体ケーシング２の前面上部には利用側空間の空気を吸い込むための吸込み口６が形成され、前面下部には空気調和後の空気を利用側空間に吹き出すため吹出し口７が形成されている。これらの吸込み口６と吹出し口７とは前部通風路４を介して連通している。本体ケーシング２の後面下部には空気の吸込み口８が形成され、後面上部には熱交換後の空気を吹き出すため吹出し口９が形成されている。吸込み口６と吹出し口７とは後部通風路５を介して連通している。
【００１４】
本体ケーシング２において、前部通風路４内の上部で吸込み口６と隣接する位置に蒸発器１０が配置され、前部通風路４内の下部には蒸発器１０に空気を供給する蒸発器送風用ファン１３が配置されている。蒸発器１０の下方には冷房運転時に蒸発器１０の表面から滴下したドレン水Ｄを収受するドレンパン１１が設けられている。一方、後部通風路５内の下部で吸込み口８と隣接する位置には凝縮器１４が配置され、後部通風路５内の上部には凝縮器１４に空気を供給する凝縮器送風用ファン１６が配置されている。前記した蒸発器送風用ファン１３と凝縮器送風用ファン１６はいずれも水平回転軸である駆動軸１２，１５の軸心と交差する方向に送風するクロスフロー型ファンである。但し、蒸発器送風用ファン１３と凝縮器送風用ファン１６はクロスフロー型ファンに限定されない。そして、後部通風路５内における凝縮器１４の通風方向下流側の隣接位置に、前記のドレン水処理装置Ｂが配置されている。
【００１５】
上記した構成の空調装置Ａの冷房運転において、圧縮機２０から吐出された高温高圧のガス冷媒は、凝縮器１４で熱源側空気と熱交換して凝縮し液冷媒となる。凝縮器１４からの液冷媒は冷媒絞り部２１で膨張して気液二相冷媒となったのち蒸発器１０に流入する。蒸発器１０で利用側空気と熱交換した冷媒は蒸発して低温低圧のガス冷媒となりアキュムレータ２２を経て圧縮機２０の吸込側に戻る。かかる一連の冷凍サイクル動作が繰り返される。尚、凝縮器１４においては、熱源側空気が加熱されて昇温する。また、蒸発器１０においては、利用側空間の空気が冷却されて降温するとともに空気中の水分が凝縮しドレン水Ｄとなってドレンパン１１に滴下し、連通管４５を経てドレン水受槽４４内に貯留される。
【００１６】
そして、ドレン水処理装置Ｂでは、モータ３４が回転駆動して上ロール３６を矢印Ｅ方向（図１参照）に回転させる。すると、保水ベルト４２はドレン水受槽４４内のドレン水Ｄを吸収して上ロール３６と下ロール３８の間を周回する。このようにドレン水受槽４４内のドレン水Ｄを吸収した保水ベルト４２に、凝縮器１４で昇温した通風が当たってドレン水Ｄを蒸散させる。
尚、ドレン水受槽４４内で保水ベルト４２の下端高さ位置に水位センサを設けておき、水位センサがドレン水を検知したときにモータ３４に通電して保水ベルト４２を周回起動させ、水位センサがドレン水を検知していないときにはモータ３４への通電を停止するようにしても構わない。
【００１７】
この実施形態のドレン水処理装置Ｂは、上下に配置された上ロール３６と下ロール３８の間を周回する保水ベルト４２に凝縮器１４からの通風を当ててドレン水Ｄを蒸散させるようにした竪型構成であることから、ドレン水処理装置Ｂ自体の前後方向の寸法Ｗ（図６参照）が小さくて済む。また、周回する保水ベルト４２に同伴してドレン水Ｄが通風路に供給されるので、凝縮器１４とドレン水処理装置Ｂとの間に所定の空間を設ける必要がなく、ドレン水処理装置Ｂを凝縮器１４に隣接して配備することができる。これらが相まって、小型の空調装置Ａが実現される。更に、ドレン水Ｄ中の夾雑物は凝縮器１４でなく保水ベルト４２で捕捉される。また、凝縮器１４は濡れていないので空気中の塵は凝縮器１４を通過して保水ベルト４２で捕捉されやすくなる。これらにより、凝縮器１４の熱交換効率低下が抑制され凝縮器１４の清掃頻度が小さくなりメンテナンス性が向上する。
そして、空調装置Ａの本体ケーシング２内の仕切壁３に係脱自在に係止される係止部３１が竪枠体３０に設けられているので、空調装置Ａの運転継続により空気中の塵やドレン水Ｄ中の夾雑物が保水ベルト４２に堆積して保水ベルト４２の通気能力が低下したときに、竪枠体３０の係止部３１を空調装置Ａから取り外すことができる。そして、取り外したドレン水処理装置Ｂの保水ベルト４２の掃除や交換を行って通気能力を復活させることができる。
【図面の簡単な説明】
【００１８】
【図１】本発明の一実施形態に係るドレン水処理装置の一部断面を含む左側面図である。
【図２】前記ドレン水処理装置を示す一部断面を含む正面図である。
【図３】前記ドレン水処理装置が取り付けられる空調装置の仕切壁に設けられた支持部を示す部分背面図である。
【図４】前記ドレン水処理装置と空調装置の仕切壁の支持構造を示す平面図である。
【図５】前記ドレン水処理装置と空調装置の仕切壁の支持構造を示す一部断面を含む右側面図である。
【図６】前記ドレン水処理装置を内蔵した空調装置を左側面から見た内部構成図である。
【符号の説明】
【００１９】
Ａ    空調装置
Ｂ    ドレン水処理装置
２    本体ケーシング
３    仕切壁
１４  凝縮器
３０  竪枠体
３１  係止部
３２  シャフト
３３  ブッシュ
３４  モータ
３５  駆動軸
３６  上ロール
３８  下ロール
４２  保水ベルト
４４  ドレン水受槽
６２  支持部
Ｄ    ドレン水
Ｆ    矢印
【図１】
2007333242.tif 000003
【図２】
2007333242.tif 000004
【図３】
2007333242.tif 000005
【図４】
2007333242.tif 000006
【図５】
2007333242.tif 000007
【図６】
2007333242.tif 000008